(57)【要約】【課題】本発明は、２つ以上の電子ビーム発射構造がガラス・バルブの外周に沿って設置され、陰極線管の厚さを大幅に減少することができる、側面投射型陰極線管を提供する。【解決手段】画像が透視されるフェイス部及び該フェイス部の周縁から後方に延在するスカート部を有するフロント・パネルと、前記フロント・パネルのスカート部の外周に沿って設けられ、電子ビームを発射する電子銃及び該電子銃から発射される電子ビームを偏向させる偏向ヨークを有する電子ビーム発射構造とを、少なくとも２つ以上含む。この構成により、陰極線管の厚さを大幅に減少することができるという効果を奏する。【選択図】図１
2004534365.tif 000002
【特許請求の範囲】
【請求項１】
画像が透視されるフェイス部及び該フェイス部の周縁から後方に延在するスカート部を有するフロント・パネルと、
前記フロント・パネルの前記スカート部の外周に沿って設けられ、電子ビームを発射する電子銃及び該電子銃から発射される電子ビームを偏向させる偏向ヨークを有する電子ビーム発射構造とを少なくとも２つ以上含む側面投射型陰極線管。
【請求項２】
前記フェイス部が、一対の短側面及び一対の長側面を有する略四角形状の断面を有し、前記２つ以上の電子ビーム発射構造が、各々前記スカート部の一対の短側面に対向するように構成される、請求項１に記載の側面投射型陰極線管。
【請求項３】
前記フェイス部が、一対の短側面及び一対の長側面を有する略四角形状の断面を有し、前記２つ以上の電子ビーム発射構造が前記フェイス部の前記一対の長側面のうちのいずれかに構成される、請求項１に記載の側面投射型陰極線管。
【請求項４】
前記２つ以上の電子ビーム発射構造の中心軸が、前記フロント・パネルの前記フェイス部へ向かうように構成される、請求項１乃至３のいずれか１項に記載の側面投射型陰極線管。
【請求項５】
前記フロント・パネルの前記フェイス部に対向するリアー・パネルを更に含み、前記２つ以上の電子ビーム発射構造の中心軸が、前記リアー・パネルへ向けるように構成される、請求項１乃至３のいずれか１項に記載の側面投射型陰極線管。
【請求項６】
前記フロント・パネルの前記スカート部に前記電子ビーム発射構造と連通するように設けられる少なくとも２つ以上の孔を有し、該孔の各々はそれに対応する電子銃からの電子ビームの偏向角を受け入れるための曲面部を有する、請求項１に記載の側面投射型陰極線管。
【請求項７】
前記フロント・パネルの前記フェイス部に対向するリアー・パネルを更に含み、前記フェイス部の対角部最外郭寸法がＤｍであるとき、前記フロント・パネルと前記リアー・パネルの全体厚さ（Ｄｔ）との比が０．３５≧Ｄｔ/Ｄｍ≧０．１の関係を有する、請求項１に記載の側面投射型陰極線管。
【請求項８】
前記フロント・パネルの前記フェイス部には、前記電子銃から発射された電子ビームを用いて像を表すための蛍光物質を更に含み、前記リアー・パネルには該電子ビームを蛍光物質の方へ反射させるための反射体を有する、請求項５に記載の側面投射型陰極線管。
【請求項９】
前記リアー・パネル及び/または前記反射体が球面形状である、請求項８に記載の側面投射型陰極線管。
【発明の詳細な説明】
【技術分野】
【０００１】
本発明は、陰極線管に関し、更に詳しくは、ガラス・バルブの外周に沿って構成される２つ以上の電子ビーム発射構造によって、電子ビームを発射させ得る側面投射型陰極線管に関する。
【背景技術】
【０００２】
周知のように、カラー・テレビやコンピュータ・モニターなどの製造に用いられる後面走査型陰極線管のガラス・バルブ（Ｇｌａｓｓ  Ｂｌｕｂ）は、基本的に３つの構成要素、即ち画像が透視されるパネルと、該パネルの背面に接合される円錐状のファネル（Ｆｕｎｎｅｌ）と、該ファネルの頂点に融着される管状のネック（Ｎｅｃｋ）とから構成される。パネルはフェイス部（ｆａｃｅ  ｐｏｒｔｉｏｎ）と該フェイス部の周縁から後方に延在するスカート部（ｓｋｉｒｔ  ｐｏｒｔｉｏｎ）とから構成される。フェイス部のスカートには複数の孔を有するシャドー・マスクがフィンによって支持され、ネックの内外側には、該シャドー・マスクの孔を通してフェイス部の内面に塗布されている結像用蛍光体へ電子ビームを発射する電子銃と、該電子銃からの電子ビームを偏向させる偏向ヨークとが各々設けられている。
【０００３】
このような構成の従来技術の陰極線管においては、円錐状のファネルとそれに連結したネックとによって、陰極線管の厚さを減少させるスリム（Ｓｌｉｍ）化に相当な制約を受けている。特に、最近には陰極線管が急速に大型化、平面化される傾向により、スリム化作業はより一層困難な実情である。このため、陰極線管を大型化すると共に、平面化及びスリム化のために、パネルの後面から電子ビームを発射する単一の電子銃を有する伝統的な陰極線管の構造を変更する研究が活発に進行している。
【０００４】
一例として、日本特開平７-４５２１５号公報の陰極線管には、パネルと対向している後部外機の後面にネックを有する二つのファネルが構成されている。ファネル及びネックの各々には電子銃と偏向ヨークとが取り付けられており、各々の電子銃から発射される電子ビームを偏向ヨークによって二つの領域に分けて、パネルの蛍光物質へ走査する技術が開示されている。また、韓国公開特許公報第１９９９-７８３８５号には、フェイス・プレートの後面に複数のファネルを有する後部外観容器が接合され、各々のファネルにはネックが接合されている。各々のファネルとネックとには、電子銃と偏向ヨークとが取り付けられており、各々の電子銃から発射される電子ビームを偏向ヨークによって複数の領域に分けてパネルの蛍光物質へ走査する技術が開示されている。これらの技術は、大型・平面陰極線管において必然的に増加する陰極線管の厚さを複数個の小型ファネルを用いることによって減少させることができる長所を有しているが、依然としてパネルの後方に電子銃を取り付ける後面走査方式によって陰極線管をスリム化することに限界がある。
【０００５】
一方、日本特開平６-２６７４６５号公報の陰極線管には、スクリーン・パネルとフロント・パネルとの一側にファネルが構成されており、該ファネルには電子銃の取り付けのためにネックが設けられた技術が開示されている。この技術は、電子銃から発射される電子ビームをスクリーン・パネルの蛍光物質へ走査し、該蛍光物質によって生成される画像がフロント・パネルを通して映像化するようになっている。しかし、大型陰極線管では、電子ビームの制御にかなり困難であり、画質が鮮明でないことから、大型陰極線管に適用するには不適合であるという不都合があった。
【発明の開示】
【発明が解決しようとする課題】
【０００６】
本発明はこのような点に鑑みて成されたものであって、２つ以上の電子ビーム発射構造がガラス・バルブの外周に沿って設置され、陰極線管の厚さを大幅に短縮することができる、側面投射型陰極線管を提供することを目的とする。
【課題を解決するための手段】
【０００７】
上記目的を達成するために、本発明は、画像が透視されるフェイス部及び該フェイス部の周縁から後方に延在するスカート部を有するフロント・パネルと、前記フロント・パネルのスカート部の外周に沿って設けられ、電子ビームを発射する電子銃及び該電子銃から発射される電子ビームを偏向させる偏向ヨークを有する電子ビーム発射構造とを、少なくとも２つ以上含む側面投射型陰極線管を提供する。
【発明の効果】
【０００８】
前述したように、本発明の側面投射型陰極線管によれば、電子ビームの発射構造を設置するための２つ以上のファネルがガラス・バルブの外周に沿って設けられ、陰極線管の厚さを大幅に減少することができるという効果を奏する。
【発明を実施するための最良の形態】
【０００９】
以下、本発明による側面投射型陰極線管用パネルについて好適な実施例を添付の図面に基づいて詳記する。
図１は本発明の第１の実施例による側面投射型陰極線管を示し、略六面体形状のガラス・バルブ１０を含む。このガラス・バルブ１０は画像が透視されるフェイス部２２及び該フェイス部２２の周縁から後方に延在して形成されるスカート部２４を有するフロント・パネル２０と、該フロント・パネル２０のスカート部２４の後面に設けられるリアー・パネル３０とを含む。フロント・パネル２０のフェイス部２２は実質的に四角形状の平面に形成される。
【００１０】
図２に示したように、フロント・パネル２０のスカート部２４は、相対する第１の短側面２６ａ及び第２の短側面２６bと、第１の長側面２８a及び第２の長側面２８bを有する。フェイス部２２の対角部最外郭の寸法がＤｍであるとき、フロント・パネル２０とリアー・パネル３０との全体厚さ（Ｄｔ）、即ちガラス・バルブ１０の厚さとの比は、０．３５≧Ｄｔ/Ｄｍ≧０．１を満たすように設けることが好ましい。
【００１１】
図１及び図２を共に参照して、スカート部２４の短側面２６a、２６bには各々一つのファネル４０が設けられる。各ファネル４０はその一端が短側面２６ａまたは２６bに取り付けられたヨーク部４２と、該ヨーク部４２の他端に設けられたネック５０とを備える。ネック５０及びヨーク部４２には、電子ビーム発射構造を構成する電子銃６０と偏向ヨーク７０とが設けられる。詳記すると、ネック５０の内側にはフェイス部２２の希望の領域へ電子ビームを発射する電子銃６０が取り付けられ、ヨーク部４２には電子銃６０から発射される電子ビームを偏向させる偏向ヨーク７０が取り付けられる。ここでは、フロント・パネル２０の第１及び第２の短側面２６a、２６bの中央に各々一つのファネル４０が設けられたことを示したが、これに限られるものではなく、ガラス・バルブ１０の大きさによって変更してもよい。
【００１２】
図３に示したように、、ガラス・バルブ１０のフロント・パネル２０、リアー・パネル３０、ヨーク部４２及びネック５０は例えば、フリット（Ｆｒｉｔ）という結晶性粉末ガラスを用いて接合されたり、熱溶着よって接合され得る。該当結晶性粉末ガラスを利用したり熱溶着によるガラス・バルブ１０の接合技法は公知のことで、これについては省略する。
【００１３】
また、フロント・パネル２０のフェイス部２２の内面には結像用蛍光物質８０が塗布され、スカート部２４には複数の孔（図示せず）を有するシャドー・マスク８２が設けられている。電子銃６０から発射される電子ビームは偏向ヨーク７０によって、後述するフロント・パネル２０またはリアー・パネル３０の方に偏向し、シャドー・マスク８２の孔を介して結像用蛍光物質８０へ走査されて像を生成する。
【００１４】
一方、本発明による側面投射型陰極線管は、シャドー・マスク８２を用いる代わりに、インデックス・ストライプ（Ｉｎｄｅｘ  Ｓｔｒｉｐｅ）とフォト・ディテクター（Ｐｈｏｔｏ  Ｄｅｔｅｃｔｏｒ）を用いるビーム・インデックス・チューブ（Ｂｅａｍ  Ｉｎｄｅｘ  Ｔｕｂｅ）型陰極線管とから構成されることができる。これに関する技術は公知のことで、ここではその説明を省略する。この場合、シャドー・マスク型を使用する陰極線管の場合、より電子銃から発射される電子ビームを正確で且つ容易に制御でき、画面の大きさに相応するようにガラス・バルブ１０の外周に沿って幾つかの箇所に電子ビームの発射構造を構成して、画面を複数の領域に分けることができる。
【００１５】
図２及び図３を参照して、フロント・パネル２０のスカート部２４にはファネル４０との連通のために孔２４aが設けられている。該孔２４aの内面は、電子銃６０から発射される電子ビームが偏向ヨーク７０により偏向されても、該偏向電子ビームがガラス・バルブ１０の内部へ受容可能な曲面部２４bに形成される。
【００１６】
図４は、本発明による側面投射型陰極線管のファネル４０の変形例を示すことで、ファネル４０の中心軸４４はフロント・パネル２０のフェイス部２２へ向かうように構成されている。このため、電子銃６０から発射される電子ビームは偏向ヨーク７０の偏向によって蛍光物質８０へ走査される。反面に、本発明によるファネル４０の他の変形例を示す図５では、ファネル４０の中心軸４４はリアー・パネル３０へ向けるように構成されされても良く、この場合、リアー・パネル３０の内面には電子ビームを蛍光物質８０へ反射させる反射体８４が塗布される。したがって、電子銃６０から発射される電子ビームは偏向ヨーク７０の偏向によって反射体８４へ走査され、該反射体８４によって反射される電子ビームは蛍光物質８０へ走査される。このような場合、電子ビームの反射効率を上げるために、リアー・パネル３０及び/または反射体８４）を球面形状に形成することが好ましい。
【００１７】
図６及び図７には、本発明の第２の実施例による側面投射型陰極線管を示す。第２の実施例による側面投射型陰極線管は第１の実施例の陰極線管と比べて、ファネル４０の位置を除いては、その他は第１の実施例と同様である。例えば、二つのファネル４０がフェイス部２２の第１の長側面２８aの中央を基準として、左右側に各々設けられてもよく（図６及び図７参照）、三つのファネル４０が第２の長側面２８bに設けられてもよい（図８参照）。
【００１８】
上記において、第１の長側面２８aまたは第２の長側面２８bに二つまたは三つのファネルが設けられる場合について示したが、これに限られるものではない。即ち、ファネルは少なくとも一つ以上であれば良く、その位置もスカート部の側面のうちのいずれかまたは対向する位置に設けられてもよい。例えば、ファネルが二つの場合、一方は短側面に、他方は長側面に設けてもよい。
【００１９】
上記において、本発明の好適な実施の形態について説明したが、本発明の請求範囲を逸脱することなく、当業者は種々の改変をなし得るであろう。
【図面の簡単な説明】
【００２０】
【図１】本発明の第１の実施例による側面投射型陰極線管を部分切出した斜視図である。
【図２】図１の側面投射型陰極線管を部分切出した正面図である。
【図３】図２のｘ-ｘ線に沿って切出した側面投射型陰極線管の断面図である。
【図４】図１の側面投射型陰極線管のファネルの変形例を示す断面図である。
【図５】図１の側面投射型陰極線管のファネルの他の変形例を部分的に示す断面図である。
【図６】発明の第２の実施例による側面投射型陰極線管の斜視図である。
【図７】図６の側面投射型陰極線管を部分的に切出した正面図である。
【図８】本発明の第２の実施例による側面投射型陰極線管の変形例を示す正面図である。
【符号の説明】
【００２１】
１０…ガラス・バルブ  ２０…フロント・パネル  ２２…フェイス部  ２４…スカット部  ３０…リアー・パネル
【図１】
2004534365.tif 000003
【図２】
2004534365.tif 000004
【図３】
2004534365.tif 000005
【図４】
2004534365.tif 000006
【図５】
2004534365.tif 000007
【図６】
2004534365.tif 000008
【図７】
2004534365.tif 000009
【図８】
2004534365.tif 000010
【国際公開パンフレット】
2004534365.tif 000011
2004534365.tif 000012
2004534365.tif 000013
2004534365.tif 000014
2004534365.tif 000015
2004534365.tif 000016
2004534365.tif 000017
2004534365.tif 000018
2004534365.tif 000019
2004534365.tif 000020
2004534365.tif 000021
2004534365.tif 000022
2004534365.tif 000023
2004534365.tif 000024
2004534365.tif 000025
2004534365.tif 000026
【国際調査報告】
2004534365.tif 000027
2004534365.tif 000028
2004534365.tif 000029